(57)【要約】【課題】使用者が一人でリュックサックを背負ったり下ろしたりする際の使用者の負担を低減することができるように、左右の肩掛けベルトの少なくとも一方の肩掛けベルトに着脱自在の連結機構を介在したリュックサックベルト構造を提供する。【解決手段】背負い型リュックサックの左右肩掛けベルトにおいて、少なくとも一方のベルトの下半部中途に着脱自在の連結機構を介在し、この連結機構としては雄雌構造体のワンタッチ係合機構を採用したことを特徴とするリュックサックベルト構造とした。【選択図】図１
0003206267.tif 000002
【実用新案登録請求の範囲】
【請求項１】
背負い型リュックサックの左右肩掛けベルトにおいて、少なくとも一方のベルトの下半部中途に着脱自在の連結機構を介在したことを特徴とするリュックサックベルト構造。
【請求項２】
連結機構としては雄雌構造体のワンタッチ係合機構としたことを特徴とする請求項１に記載のリュックサックベルト構造。
【請求項３】
下半部中途に着脱自在の連結機構を介在したベルトではない他方のベルトの肩接触面は滑動しやすいシートで構成したことを特徴とする請求項１又は請求項２に記載のリュックサックベルト構造。
【請求項４】
一方のベルトの肩接触面を滑動しやすいシートで形成したことを特徴とする請求項１から３の何れか１項に記載のリュックサックベルト構造。
【請求項５】
滑動しやすいシートとしては、合成樹脂シートや表面滑動の不織布シートであることを特徴とする請求項３又は請求項４に記載のリュックサックベルト構造。
【考案の詳細な説明】
【技術分野】
【０００１】
本考案は、リュックサックを背負う又は下ろす際の使用者への負担を低減するために肩掛けベルトに着脱自在の連結機構を介在したリュックサックベルト構造に関するものである。
【背景技術】
【０００２】
従来、使用者が物品等を背中に背負って移動するのに好適な運搬手段としてリュックサックが広く用いられている。このようなリュックサックは、登山やハイキング等で主に使用されている。さらに近年では、使用者の両手が自由に使用できることから安全性が高い物品等の運搬手段であることが着目され、使用する年齢層に関わらず日常の通勤、通学及び街歩き等でも使用される機会が多くなっている。
【０００３】
上記のようなリュックサックとして、本考案出願人は、簡単な構造でリュックサック内に収容された物品の揺れを防止することで、使用者の肩にかかる負担を低減することができるリュックサックを提案している（例えば、特許文献１に記載）。
【先行技術文献】
【特許文献】
【０００４】
【特許文献１】実用新案登録第３１６１９３５号公報
【考案の概要】
【考案が解決しようとする課題】
【０００５】
しかしながら、特許文献１に開示されたリュックサックは、長時間使用しても使用者の肩にかかる負担を軽減することはできるが、使用者が高齢者等である場合には、年齢とともに左右の肩掛けベルトに両腕の一方を後方にまわして通したり外したりして、一人でリュックサックを背負ったり下ろしたりする作業が困難となる場合があった。
【０００６】
この考案は、上記課題を解決するためになされたもので、高齢者等の使用者が一人でリュックサックを背負ったり下ろしたりする際の使用者の負担を低減することができるように、左右の肩掛けベルトの少なくとも一方の肩掛けベルトに着脱自在の連結機構を介在したリュックサックベルト構造を提供することを目的とする。
【課題を解決するための手段】
【０００７】
請求項１に記載の考案は、背負い型リュックサックの左右肩掛けベルトにおいて、その一方のベルトの下半部中途に着脱自在の連結機構を介在したことを特徴とするリュックサックベルト構造とした。
【０００８】
請求項２に記載の考案は、連結機構としては雄雌構造体のワンタッチ係合機構としたことを特徴とする。
【０００９】
請求項３に記載の考案は、下半部中途に着脱自在の連結機構を介在したベルトではない他方のベルトの肩接触面は滑動しやすいシートで構成したことを特徴とする。
【００１０】
請求項４に記載の考案は、一方のベルトの肩接触面を滑動しやすいシートで形成したことを特徴とする。
【００１１】
請求項５に記載の考案は、滑動しやすいシートとしては、合成樹脂シートや表面滑動の不織布シートであることを特徴とする。
【考案の効果】
【００１２】
請求項１の考案によれば、背負い型リュックサックの左右肩掛けベルトにおいて、少なくとも一方のベルトの下半部中途に着脱自在の連結機構を介在している。このため、使用者がリュックサックを背負う際に、一方の肩掛けベルトの連結機構をリリースし、他方の肩掛けベルトに使用者の腕を通し、リュックサック背部に使用者の背部を当接させて、リリースした肩掛けベルトに使用者の一方の腕を通し、連結機構を係合することで、使用者は腕を後方にまわすことなく腕を肩掛けベルトに通して背負うことができる。また、使用者がリュックサックを下ろす際に、一方の肩掛けベルトの連結機構をリリースし、他方の肩掛けベルトから使用者の腕を外してリュックサックを使用者の背部から下ろすことで、使用者は腕を後方にまわすことなく使用者の背中に背負ったリュックサックを下ろすことができる。
【００１３】
請求項２の考案によれば、連結機構としては雄雌構造体のワンタッチ係合機構としたので、使用者がリュックサックを背負う際に、ワンタッチ係合機構を係合することで腕をベルトに簡単に通すことができ、逆にワンタッチ係合機構を解除することでベルトから一方の腕を簡単に外すことができる。
【００１４】
請求項３又は４の考案によれば、ベルトの肩接触面は滑動しやすいシートで構成したので、リュックサックに荷物を収納して長時間背負っても、ベルトの肩接触面が常に滑動して使用者の肩部への荷重負荷を軽減することができる。
【００１５】
請求項５の考案によれば、滑動しやすいシートとしては、合成樹脂シートや表面滑動の不織布シートであるので、リュックサックを長年使用しても摩擦係数が変化せず耐久性のある滑動しやすいシートとして使用することができる。合成樹脂シートの場合には、雨でシートが濡れてもシート内部に水分が吸収されず快適に使用できる。不織布シートの場合には、使用者の汗をシート内に取り込みが、その繊維質の組成から直ぐに汗をシート外部に発散して、滑動シートして使用することができる。
【図面の簡単な説明】
【００１６】
【図１】本考案の実施形態におけるリュックサックベルト構造を備えたリュックサックの構成を示す斜視図である。
【図２】本考案の実施形態におけるリュックサックベルト構造を備えたリュックサックを背負う又は下ろす動作を説明する説明図である。
【考案を実施するための形態】
【００１７】
本考案は、背負い型リュックサックの左右肩掛けベルトにおいて、少なくとも一方のベルトの下半部中途に着脱自在の連結機構を介在したことを特徴とするリュックサックベルト構造とした。
【００１８】
また、連結機構としては雄雌構造体のワンタッチ係合機構としたことを特徴とする。
【００１９】
また、下半部中途に着脱自在の連結機構を介在したベルトではない他方のベルトの肩接触面は滑動しやすいシートで構成したことを特徴とする。
【００２０】
また、一方のベルトの肩接触面を滑動しやすいシートで形成したことを特徴とする。
【００２１】
また、滑動しやすいシートとしては、合成樹脂シートや表面滑動の不織布シートであることを特徴とする。
【００２２】
以下、本考案の実施形態について図面を用いて詳細に説明する。
【００２３】
以下、図１〜図２を参照して、本実施形態におけるリュックサックベルト構造について説明する。図１は本考案の実施形態におけるリュックサックベルト構造を備えたリュックサックの構成を示す斜視図である。図２はリュックサックベルト構造を備えたリュックサックを背負う又は下ろす動作を説明する説明図である。
【００２４】
図１及び図２に示すように、リュックサックＫは、物品を収容する収容本体２と、収容本体２の背部２ｂの上端部の左右に所定間隔を空けて縫製された左右一対の左肩掛けベルト４及び右肩掛けベルト５で構成されている。すなわち、本実施形態のリュックサックＫは、使用者Ｐの左肩２０に左肩掛けベルト４を、使用者Ｐの右肩２１に右肩掛けベルト５をそれぞれ背負う背負い型リュックサックである。
【００２５】
本実施形態においては、左右一対の右肩掛けベルト５及び左肩掛けベルト４のうち、少なくとも一方の右肩掛けベルト５の下半部中途に、着脱自在の連結機構を設けている。この連結機構は、雄雌構造体６ａ，６ｂのワンタッチ係合機構６で構成されている。また、ワンタッチ係合機構６には、右肩掛けベルト５の長さを調節可能としたアジャスタ機能も兼ね備えている。なお、ワンタッチ係合機構６としては、合成樹脂製のテープアジャスターバックル等が好適に用いられる。
【００２６】
この右肩掛けベルト５のワンタッチ係合機構６を切り離すと右肩掛けベルト５が上下２つに分離する。すなわち、右肩掛けベルト５は、使用者Ｐの右肩２１から胸部２４に当接する幅広の上部右肩掛けベルト体５ａと使用者の腰部２５の右側腰部に当接する下部右肩掛けベルト体５ｂとに分離する。なお、上部右肩掛けベルト体５ａにはワンタッチ係合機構６の雌構造体６ｂが連結され、下部右肩掛けベルト体５ｂにはワンタッチ係合機構６の２本の爪状の雄構造体６ａが連結されている。
【００２７】
また、他方の左肩掛けベルト４は、使用者Ｐの左肩２０から胸部２４に当接する幅広の上部左肩掛けベルト体４ａと使用者Ｐの腰部２５の左側腰部に当接する下部左肩掛けベルト体４ｂとから構成しており、下部左肩掛けベルト体４ｂには使用者の体形に合わせて左肩掛けベルト４の長さを調節可能とした肩掛けベルト用アジャスタ７が設けられている。
【００２８】
以下、この右肩掛けベルト５に備えたワンタッチ係合機構６を利用して、使用者ＰがリュックサックＫを背負う場合と下ろす場合とを説明する。
【００２９】
使用者ＰがリュックサックＫを背負う場合は、まず一方の右肩掛けベルト５のワンタッチ係合機構６を解除したまま、他方の左肩掛けベルト４に使用者Ｐの左腕２２を通し、使用者Ｐの左肩２０上に幅広の上部左肩掛けベルト体４ａを配置し、リュックサックＫの収容本体２の背部２ｂに使用者Ｐの背部を当接させる。次に、ワンタッチ係合機構６を解除した右肩掛けベルト５のうち、上部右肩掛けベルト体５ａを使用者Ｐの右肩２１から胸部２４に当接し、上部右肩掛けベルト体５ａの端部の雌構造体６ｂと下部右肩掛けベルト体５ｂの端部の雄構造体６ａとを両手で把持して係合することで、使用者Ｐは右腕２３を後方にまわすことなく簡単に右肩２１上に右肩掛けベルト５を配置することができ、スムーズにリュックサックＫを背負うことができる。
【００３０】
逆に、使用者ＰがリュックサックＫを下ろす場合は、上記と逆の動作を行うこととなる。まず使用者ＰがリュックサックＫを背負った状態で、使用者Ｐは一方の右肩掛けベルト５のワンタッチ係合機構６を解除する。これにより、使用者Ｐの右肩２１からから上部右肩掛けベルト体５ａが外れ、右腕２３から右肩掛けベルト５を外すことができる。次に使用者Ｐはもう一方の左肩２０から他方の左肩掛けベルト４をずらすだけで、左腕２２から左肩掛けベルト４を外すことができる。このように、使用者Ｐが右腕２３を後方にまわすことなくスムーズにリュックサックＫを下ろすことができる。
【００３１】
上述した左肩掛けベルト４，右肩掛けベルト５は、その肩接触面である上部右肩掛けベルト体５ａ及び上部左肩掛けベルト体４ａを滑動しやすいシートで構成している。この滑動しやすいシート（以下、滑動シートともいう。）としては、合成樹脂シートや不織布シートが好適に用いられる。特に、右肩掛けベルト５の肩接触面を滑動シートで構成することで、右肩掛けベルト５を装着する際に同ベルトが使用者Ｐの肩から胸部、腹部に向かって適度に滑って、その後、上部肩ベルト体５ａの端部の雌構造体６ｂと下部肩ベルト体５ｂの端部の雄構造体６ａとを把持して係合する。
【００３２】
このように、左肩掛けベルト４，右肩掛けベルト５の肩接触面を滑動シートで構成することで、リュックサックＫの収容本体２に荷物を収納して長時間背負っても、左肩掛けベルト４，右肩掛けベルト５の肩接触面が常に滑動して使用者Ｐの左肩２０，右肩２１への点接触を防ぎ、身体への荷重負荷を軽減することができる。
【００３３】
さらに、滑動シートを合成樹脂シートとした場合には、雨で滑動シートが濡れてもシート内部に水分が吸収されず快適に使用できる。滑動シートを不織布シートとした場合には、使用者の汗をシート内に取り込むが、その繊維質の組成から直ぐに汗をシート外部に発散することができる滑動シートして使用することができる。
【００３４】
また、使用者Ｐの胸部位置の左肩掛けベルト４，右肩掛けベルト５間には、胸部ベルト１０の長さを調節可能な胸部ベルト調整具１１を装着している。この胸部ベルト調整具１１は、右肩掛けベルト５に設けた連結機構と同様の着脱自在の胸部ワンタッチ係合機構としている。胸部ワンタッチ係合機構は、左右の胸部ベルト体１０ａ，１０ｂの各端部に胸部雄雌構造体１１ｂ，１１ａを連結した構成としている。
【００３５】
使用者がリュックサックＫを背負ったのちに、胸部ベルト１０の胸部ワンタッチ係合機構を係合することで、使用者Ｐの胸部位置で左肩掛けベルト４と右肩掛けベルト５との間隔を一定に保持することができ、左肩掛けベルト４，右肩掛けベルト５が左腕２２，右腕２３の方へずれることを防ぐことができる。
【００３６】
さらにまた、使用者Ｐの腰部位置の収容本体２の背部下方２ｄの両側部間に、腰部べルト１２の長さを調節可能な腰部ベルト調整具１３を装着しており、腰部ベルト調整具１３は、肩掛けベルトの連結機構と同様の着脱自在の腹部ワンタッチ係合機構としている。腰部ワンタッチ係合機構は、左右の腰部ベルト体１２ａ，１２ｂの各端部に腰部雄雌構造体１３ｂ，１３ａを連結した構成としている。
【００３７】
使用者ＰがリュックサックＫを背負ったのちに、腰部ベルト１３の腰部ワンタッチ係合機構を係合することで、使用者の腰部位置で収容本体２の下部が使用者Ｐの腰部に密着するため、収容本体２に収容した物品の揺れにより起因する腰部へのダメージを防ぐことができる。
【００３８】
なお、上述してきた実施形態では、ワンタッチ係合機構６は、右肩掛けベルト５に設けたが、これは、主に右利きの使用者Ｐを想定しているためであり、これに限定されるものではなく、左利きの使用者Ｐを想定して左肩掛けベルト４に設けてもよい。さらに、左右の左肩掛けベルト４と右肩掛けベルト５とにそれぞれワンタッチ係合機構６を設けるようにしてもよい。
【００３９】
以上、上述した実施形態を通して本考案を説明してきたが、本考案はこれらに限定されるものではない。また、上述した各種効果は、本考案から生じる最も好適な効果を列挙したに過ぎず、本考案による効果は、実施形態に記載されたものに限定されるものではない。
【符号の説明】
【００４０】
Ｋ  リュックサック
２  収容本体
４  左肩掛けベルト
５  右肩掛けベルト
６  ワンタッチ係合機構
７  肩掛けベルト用アジャスタ
１０  胸部ベルト
１１  胸部ベルト調整具
１２  腰部べルト
１３  腰部ベルト調整具
Ｐ  使用者
２０  左肩部
２１  右肩部
２２  左腕
２３  右腕
２４  胸部
２５  腰部
【図１】
0003206267.tif 000003
【図２】
0003206267.tif 000004